(57)【要約】【課題】移動手すり５の温度を効率的に調整することができる移動手すりの冷暖房装置の提供。【解決手段】本発明に係る移動手すりの冷暖房装置は、吸引手段７と調温手段８と吐出手段９とを含み、吸引手段７は、移動手すり５の周囲の空気を吸引して調温手段８に送り、調温手段８は、前記空気を調温して吐出手段９に送り、吐出手段９は、調温された空気を移動手すり５に向って吐出し、吸引手段７は、前記調温された空気を再度吸引して調温手段８に送るようになっている。【選択図】図１
2016199337.tif 000002
【特許請求の範囲】
【請求項１】
ステップと、このステップと同期して移動し、欄干に設けた移動手すりガイドによって案内される移動手すりで構成される乗客コンベアに設けられる移動手すりの冷暖房装置であって、前記移動手すりの冷暖房装置は、吸引手段と調温手段と吐出手段と送風手段とを含み、前記吸引手段は、前記移動手すりの周囲の空気を吸引して前記調温手段に送り、前記調温手段は、前記空気を調温して前記吐出手段に送り、前記吐出手段は、調温された空気を前記移動手すりに向って吐出し、前記吸引手段は、前記調温された空気を再度吸引して前記調温手段に送り、前記送風手段は、空気の循環を促すことを特徴とする移動手すりの冷暖房装置。
【請求項２】
請求項１に記載の移動手すりの冷暖房装置は、前記移動手すりの外表面を囲むように前記移動手すりに沿って延設され、空気が導かれる貫通穴を有する移動手すりカバーを含み、前記移動手すりと前記移動手すりカバーとの間に、前記移動手すりを掴む人の手の挿入を許容させる開口部を設けたことを特徴とする移動手すりの冷暖房装置。
【請求項３】
請求項１に記載の吸引手段は、前記移動手すりカバーの奥部に前記空気を吸引する別の開口部を設けたことを特徴とする移動手すりの冷暖房装置。
【請求項４】
請求項１に記載の調温手段は、熱源より供給された熱輸送媒体の熱を熱交換手段によって前記空気に与えることを特徴とする移動手すりの冷暖房装置。
【請求項５】
請求項４に記載の調温手段は、前記欄干の内部に設けられていることを特徴とする移動手すりの冷暖房装置。
【請求項６】
請求項１に記載の吐出手段は、前記移動手すりカバーの内部に設けられた前記貫通穴と前記移動手すりカバーの先端部に設けられ前記移動手すりまたは前記人の手に向って前記空気を吐出する別の開口部を設けたことを特徴とする移動手すりの冷暖房装置。
【請求項７】
請求項１に記載の送風手段は、前記吸引手段または前記調温手段または前記吐出手段に設けたことを特徴とする移動手すりの冷暖房装置。
【請求項８】
請求項４に記載の熱源を、前記乗客コンベアの内部または外部に設けたことを特徴とする乗客コンベアの移動手すりの冷暖房装置。
【発明の詳細な説明】
【技術分野】
【０００１】
本発明は、乗客コンベアに備えられる移動手すりの冷暖房装置に関する。
【背景技術】
【０００２】
この種の従来技術として、特許文献１に示されるものがある。この従来技術は、踏段すなわちステップと、この踏段と同期して移動し、欄干に設けた案内レールすなわち移動手すりガイドによって案内される移動手摺、すなわち移動手すりと、この移動手摺の温度を調整する手摺温度調整装置、すなわち移動手すり温度調整装置とを備えている。
【０００３】
手摺温度調整装置は、移動手摺を案内する案内レールに形成され、この案内レールの延設方向に沿って延設する溝部と、この溝部に連通するように案内レールに形成された通風穴とを有している。通風穴から温風あるいは冷風を案内レールに形成した溝部に供給することにより、移動手摺の裏面に温風あるいは冷風が吹き付けられ、これに応じて移動手摺の外表面が次第に温められ、あるいは冷やされるようになっている。
【先行技術文献】
【特許文献】
【０００４】
【特許文献１】特開２００６−３４７６６９号公報
【発明の概要】
【発明が解決しようとする課題】
【０００５】
前述した従来技術は、移動手摺の裏面に温風あるいは冷風を吹き付けるようにしたことから、乗客の手によって掴まれる移動手摺の外表面が所望温度となるまでに時間がかかり、その時間に相当するエネルギロスを生じる問題がある。
【０００６】
また、前述した従来技術は、案内レールに溝部が形成された乗客コンベアにのみ適用可能であり、案内レールに溝部が形成されていない乗客コンベアには適用することができない。案内レールに溝部が形成されていない乗客コンベアに適用しようとするときには、設置作業に際し、案内レールの延設方向に沿って案内レールに溝部を形成加工する煩雑な作業も必要になる。
【０００７】
また、前述した従来技術は、温められた、あるいは冷やされた移動手摺を乗客の手が掴んだ際に、主に移動手摺に接触している手のひら部分において温暖感あるいは冷感を感じる程度であり、乗客に与える快適感が必ずしも十分とは言えない。
【０００８】
本発明は、前述した従来技術における実情からなされたもので、その目的は、移動手すりを案内する移動手すりガイドに溝部が形成されているかどうかに関係なく、移動手すりの温度を効率的に調整することができる移動手すりの冷暖房装置を提供することにある。
【課題を解決するための手段】
【０００９】
前記目的を達成するために、本発明に係る移動手すりの冷暖房装置は、ステップと、このステップと同期して移動し、欄干に設けた移動手すりガイドによって案内される移動手すりで構成される乗客コンベアに設けられる移動手すりの冷暖房装置であって、前記移動手すりの冷暖房装置は、吸引手段と調温手段と吐出手段と送風手段とを含み、前記吸引手段は、前記移動手すりの周囲の空気を吸引して前記調温手段に送り、前記調温手段は、前記空気を調温して前記吐出手段に送り、前記吐出手段は、調温された空気を前記移動手すりに向って吐出し、前記吸引手段は、前記調温された空気を再度吸引して前記調温手段に送り、前記送風手段は、空気の循環を促すことを特徴とする。
【発明の効果】
【００１０】
本発明に係る移動手すりの冷暖房装置は、上記のように構成し動作することによって、従来に比べてエネルギロスを少なくすることができるので、移動手すりを従来よりも短時間で所望温度にすることができる。
【図面の簡単な説明】
【００１１】
【図１】本実施形態に備えられる移動手すり温度調整装置の要部を示す斜視図である。
【図２】図１に示す移動手すり温度調整装置の要部を示す側断面図である。
【図３】本発明に係る乗客コンベアの一実施形態を構成するエスカレータを示す側面図である。
【図４】図１に示す移動手すりカバーを欄干に取り付ける部分を底面から見た図である。
【図５】図１に示す移動手すりカバーを欄干に取り付ける固定手段の上面図である。
【発明を実施するための形態】
【００１２】
以下、本発明に係る移動手すりの冷暖房装置を乗客コンベアに適用した実施の形態を図面に基づいて説明する。
【００１３】
本発明に係る移動手すりの冷暖房装置の一実施形態においては、例えばエスカレータに適用した場合、このエスカレータは図３に示すように、基体を構成する主枠１と、乗客を乗せて例えば矢印１５方向に上昇するステップ２と、主枠１に保持される欄干３とを備えている。欄干３の上部には、図１等に示す移動手すりガイド３１を設けてある。また本実施形態は、ステップ２と同期して移動し、移動手すりガイド３１によって案内される移動手すり５と、この移動手すり５の温度を調整する移動手すりの冷暖房装置を備えている。
【００１４】
本実施形態の移動手すりの冷暖房装置は、移動手すり５の周囲の空気を吸引する吸引手段７と、吸引した空気を調温する調温手段８と、調温した空気を移動手すり５に吹き付ける吐出手段９と、吐出された空気を移動手すり５の周囲に貯留する移動手すりカバー６と、空気の循環を促す送風手段４とで構成されている。
【００１５】
吸引手段７は、移動手すり５の周囲に貯留した空気を吸引して調温手段８に送るものであり、具体的には図４に示すように分割された移動手すりカバー６の断面に形成された深溝７１で構成される。移動手すりカバー６の断面に形成された深溝７１は分割された移動手すりカバー６の断面同士を接合することにより、移動手すりカバー６内に空気の流通経路を形成する。
【００１６】
調温手段８は、熱源１０によって生成された、例えば温水や冷水や冷媒等の熱輸送媒体８１を輸送するパイプ等の熱輸送手段８２と、前記熱輸送手段８２の周囲に例えば巻き付けて設けられ、熱輸送手段８２の熱を使用して空気の調温を行う例えば銅やアルミ製のパイプで構成された熱交換手段８３とで構成されている。なお、熱輸送手段８２のパイプの内部にフィンを設けて空気との接触面積を増やしても良い。また、熱輸送手段８２の熱が熱交換手段８３以外に伝わることを防ぐために調温手段８の周囲を、例えばアルミ箔で覆われたグラスファイバーや発泡スチロール等で構成される断熱手段８４で覆っても良い。
【００１７】
ここで、図３において、熱源１０は例えばエアコンの室外機に相当するものであり、エスカレータの内部、例えば比較的機器の少ない下部機械室１１や主枠１内に設けることを想定している。しかし、熱源１０の設置位置はこれに限らず、エスカレータの外部でも良い。また熱源１０としては、例えば建物全体の冷暖房を行うために設けられた図示しないボイラーや空調設備等の熱源であっても良い。また、複数のエスカレータで熱源１０を共用しても良い。
【００１８】
吐出手段９は、調温された空気を移動手すりカバー６の先端部から移動手すり５に吹き付けるものであり、具体的には図４に示すように分割された移動手すりカバー６の断面に形成された深溝９１で構成される。移動手すりカバー６の断面に形成された深溝９１は分割された移動手すりカバー６の断面同士を接合することにより、移動手すりカバー６内に空気の流通経路を形成する。この移動手すりカバー６は例えばアルミニウム等の非可撓材やプラスチックやゴム等の可撓材で構成されており、その外形は曲面で構成されている。
【００１９】
また、移動手すりカバー６は、移動手すり５を囲むように移動手すり５に沿って欄干３の移動手すり５の外側に延設されており、図２に示すように吐出手段９の深溝９１の開口部９２が移動手すりカバー６の上部先端部に設けられている。また、移動手すり５と移動手すりカバー６の上端部６１との間に、図２に示すように移動手すり５を掴む乗客の手１００の挿入を許容させる開口部６２を設けてある。すなわち、移動手すり５を掴む乗客の手１００の挿入を考慮して、移動手すり５の下端部５１から移動手すりカバー６の上端部６１までの寸法Ｈを設定してある。
【００２０】
また、移動手すりカバー６は、図５に示すように複数に分割された移動手すりカバー６を欄干３に例えばねじ等で互いに接合させて固定しつつ、かつ移動手すりカバー６と欄干３の内部に設けられた調温手段８との間で空気を流通させることができるような穴部６３ａ、６３ｂを設けた固定手段６３によって欄干３に固定されている。
【００２１】
送風手段４は、例えば吸引手段７に設けられたファン等で構成されており、前記ファンは吸引手段７から調温手段８へ、調温手段８から吐出手段９へ、吐出手段９から移動手すり５の周囲へ、移動手すり５の周囲から再度吸引手段７へと移動する空気の循環を促す機能を持つ。なお、送風手段４は吸引手段７に限らず、調温手段８に設けても良い。また、吐出手段９に設けても良い。
【００２２】
このように構成した本実施形態において、例えば当該エスカレータの起動に伴って熱源１０によって調温手段８に温水や冷水や冷媒等の熱輸送媒体８１を送出し、吸引手段７のファン等を動作させることにより、移動手すりカバー６内部の移動手すり５の周囲の空気が吸引手段７によって吸引され、前記空気は調温手段８に送られ熱交換手段８３によって調温される。調温された空気は欄干３内部から移動手すりカバー６に設けられた吐出手段９に送出され、開口部９２から移動手すり５または乗客の手１００に向って吐出される。吐出された空気は移動手すり５または乗客の手１００を温めたり冷やしながら、吸引手段７に向かい、再度吸引される。
【００２３】
ここで、移動手すり５または乗客の手１００に吹き付けられた空気は移動手すり５を囲む移動手すりカバー６によって外部への漏出を少なく抑えられる。これによって、短時間のうちに移動手すり５を所望温度にすることができ、エネルギロスを少なくすることができ、移動手すりを従来よりも短時間で所望温度にすることができる。
【００２４】
また本実施形態は、熱源１０を比較的設置スペースがあるエスカレータの下部機械室１１に設け、調温手段８を通常は空洞である欄干３の内部に設けたことにより、エスカレータの設置スペース以外に機器の設置スペースを必要としない。
【００２５】
また本実施形態は、移動手すり５を案内する移動手すりガイド３１に溝部が形成されているどうかに関係なく適用でき、優れた汎用性を確保することができる。
【００２６】
また本実施形態は、図２に示すように、移動手すり５と移動手すりカバー６との間の開口部６２から手を挿入することにより、容易に移動手すり５を手で掴むことができ、移動手すり５を掴んだ乗客に所望の温冷感等を与えることができる。
【００２７】
また本実施形態は、移動手すり５に対して空気が吹き付けられるとともに、移動手すり５を掴もうとする乗客の手１００の略全体に空気が吹き付けられるので、移動手すり５を乗客の手１００で掴む際の乗客に与える快適感を向上させることができる。
【００２８】
なお、吐出手段９から吐出する空気は、当該エスカレータが設置される環境の温度と同等の温度を有する風、すなわち通常温度の風でもよく、また、環境温度が高いときなどには通常温度よりも低い温度の冷風でもよく、また環境温度が低いときなどには通常温度よりも高い温度の温風でもよい。
【００２９】
また例えば、当該エスカレータが設置される環境の温度を検出する温度検出装置を設け、この温度検出装置で検出された温度に応じて熱源１０が送出する熱輸送媒体８１の温度を制御する構成にしてもよい。
【００３０】
また、本実施形態はエスカレータから成っているが、本発明は、エスカレータには限られず、平坦路や坂路を形成する移動道路に適用してもよい。
【符号の説明】
【００３１】
１      主枠
２      ステップ
３      欄干
４      送風手段
３１    移動手すりガイド
５      移動手すり
５１    下端部
６      移動手すりカバー
６１    上端部
６２    開口部
６３    固定手段
６３ａ  穴部
６３ｂ  穴部
７      吸引手段
８      調温手段
８１    熱輸送媒体
８２    熱輸送手段
８３    熱交換手段
８４    断熱手段
９      吐出手段
９１    深溝
９２    開口部
１０    熱源
１１    下部機械室
１５    矢印
１００  乗客の手
Ｈ      寸法
【図１】
2016199337.tif 000003
【図２】
2016199337.tif 000004
【図３】
2016199337.tif 000005
【図４】
2016199337.tif 000006
【図５】
2016199337.tif 000007